(57)【要約】【課題】嵌合タイプの接続構造を有しながら、電流センサの配置によって装置の小型化を図ることが可能な電源装置用のコネクタを提供する。【解決手段】スイッチング素子１２を有するインバータ装置１に設けられ、ワイヤハーネス７の相手側コネクタ５と嵌合するコネクタ２は、インバータ装置１のインバータケース１０内の第１乃至第３の出力端子１５１〜１５３に一端部が接続される第１乃至第３の接続端子２１〜２３と、第１乃至第３の接続端子２１〜２３の少なくとも一部を収容し、インバータケース１０に固定されるハウジング２０と、ハウジング２０に収容され、第１乃至第３の接続端子２１〜２３に流れる電流によって発生する磁界を検出する第１乃至第３の電流センサ３１〜３３と、第１乃至第３の電流センサ３１〜３３の出力信号を伝送する信号線４とを備える。【選択図】図３
2015153641.tif 000002
【特許請求の範囲】
【請求項１】
スイッチング素子を有する電源装置に設けられ、ワイヤハーネスの相手側コネクタと嵌合するコネクタであって、
前記電源装置の筐体内の出力端子に一端部が接続される接続端子と、
前記接続端子の少なくとも一部を収容し、前記筐体に固定されるハウジングと、
前記ハウジングに収容され、前記接続端子に流れる電流によって発生する磁界を検出する電流センサと、
前記電流センサの出力信号を伝送する信号線とを備えた
コネクタ。
【請求項２】
前記信号線は、前記ハウジングから導出された部分が前記接続端子の前記一端部の延在方向と直交する方向に引き出されている、
請求項１に記載のコネクタ。
【請求項３】
前記接続端子は、前記電源装置から出力される各相の電流の複数の出力端子に対応して複数個が所定の並び方向に並列して配置され、
前記信号線は、前記並び方向に沿って引き出されている、
請求項２に記載のコネクタ。
【請求項４】
前記電流センサは、巨大磁気抵抗素子を有するＧＭＲセンサであり、
前記巨大磁気抵抗素子の検出軸が、前記接続端子に流れる電流によって発生する磁界の方向に沿った方向である、
請求項１乃至３の何れか１項に記載のコネクタ。
【請求項５】
前記電流センサは、前記電源装置から出力される複数相の電流によって発生する磁界をそれぞれ検出するように複数個配置され、これら複数の前記電流センサが前記ハウジングに保持された基板に実装された、
請求項１乃至４の何れか１項に記載のコネクタ。
【発明の詳細な説明】
【技術分野】
【０００１】
本発明は、スイッチング素子を有する電源装置に設けられるコネクタに関する。
【背景技術】
【０００２】
従来、スイッチング素子を有するインバータ装置等の電源装置には、出力される電流を検出するためのセンサを備えたものがある。特許文献１に記載のインバータ装置では、ケース内に複数の電流センサが収容され、この複数の電流センサによって検出された電流値に応じてモータのフィードバック制御が行われる。
【０００３】
また、インバータ装置から電流センサを分離することで、インバータ装置の小型化を図ることが可能なコネクタ付きケーブルが提案されている。特許文献２に記載のコネクタ付きケーブルは、インバータ装置の出力端子に接続されるバスバーを有するコネクタと、このコネクタを介してインバータ装置に接続される複数のケーブルと、複数のケーブルに流れる電流を検出する複数の電流センサとを有し、この複数の電流センサがコネクタ内に配置されている。電流センサの出力信号は、ハーネスを介してインバータ装置側に出力される。
【０００４】
またさらに、インバータ装置とワイヤハーネスとを接続するための接続構造として、特許文献３に記載のものが知られている。特許文献３に記載のものでは、インバータ装置にオスコネクタが設けられ、ワイヤハーネスのメスコネクタがこのオスコネクタに嵌合される。この嵌合タイプの接続構造によれば、インバータ装置とワイヤハーネスとの着脱を容易に行うことが可能となる。
【先行技術文献】
【特許文献】
【０００５】
【特許文献１】特開２０１０−２３９８１１号公報
【特許文献２】特開２０１３−１０５７１４号公報
【特許文献３】特開２０１２−２１２６７９号公報
【発明の概要】
【発明が解決しようとする課題】
【０００６】
本発明者らは、嵌合タイプの接続構造を採用しながら、特許文献２に記載のもののように、コネクタ付きケーブルのコネクタ内に電流センサを配置することを考えた。しかし、この場合には、インバータ装置のコネクタに電流センサの出力信号を中継するための中継コネクタを設けなければならず、インバータ装置のコネクタが大型化してしまうという問題があった。
【０００７】
本発明は、上記事情に鑑みてなされたものであり、嵌合タイプの接続構造を有しながら、電流センサの配置によって装置の小型化を図ることが可能な電源装置用のコネクタを提供することを目的とする。
【課題を解決するための手段】
【０００８】
本発明は、上記課題を解決することを目的として、スイッチング素子を有する電源装置に設けられ、ワイヤハーネスの相手側コネクタと嵌合するコネクタであって、前記電源装置の筐体内の出力端子に一端部が接続される接続端子と、前記接続端子の少なくとも一部を収容し、前記筐体に固定されるハウジングと、前記ハウジングに収容され、前記接続端子に流れる電流によって発生する磁界を検出する電流センサと、前記電流センサの出力信号を伝送する信号線とを備えたコネクタを提供する。
【発明の効果】
【０００９】
本発明に係るコネクタによれば、嵌合タイプの接続構造を有しながら、電流センサの配置によって装置の小型化を図ることが可能となる。
【図面の簡単な説明】
【００１０】
【図１】本発明の実施の形態に係るコネクタが設けられたインバータ装置を示す概略図である。
【図２】端子台、コネクタ、及びコネクタに嵌合する相手側コネクタを有するワイヤハーネスの一端部を示す斜視図である。
【図３】図２におけるコネクタを拡大して示す拡大図である。
【発明を実施するための形態】
【００１１】
［実施の形態］
図１は、本実施の形態に係るコネクタが設けられた電源装置としてのインバータ装置を示す概略図である。このインバータ装置１は、例えば車両に搭載され、蓄電池から出力される直流電圧をＰＷＭ（Pulse Width Modulation）変調により交流電圧に変換し、車両を駆動する駆動源としての三相交流モータへ出力する。
【００１２】
このインバータ装置１は、筐体としてのインバータケース１０と、インバータケース１０に固定された回路基板１１と、回路基板１１に固定された複数のスイッチング素子１２と、スイッチング素子１２の冷却のための放熱フィン１３と、スイッチング素子１２のオン状態とオフ状態とを切り替えるための複数の回路部品１４と、端子台１５と、コネクタ２とを有している。回路基板１１、複数のスイッチング素子１２、回路部品１４、及び端子台１５は、インバータケース１０に収容されている。コネクタ２は、一部がインバータケース１０に収容され、他の一部がインバータケース１０から露出している。
【００１３】
インバータケース１０は、例えばアルミニウム合金等の導電性金属からなる。図１では、このインバータケース１０の一部を切断してその内部を図示している。放熱フィン１３は、複数のスイッチング素子１２との間にインバータケース１０の底面を挟む位置に配置されている。
【００１４】
スイッチング素子１２は、例えばパワートランジスタであり、各相（Ｕ相，Ｖ相，及びＷ相）ごとに、それぞれ２つのスイッチング素子１２が設けられている。すなわち、本実施の形態では、６つのスイッチング素子１２が回路基板１１に固定されている。図１では、このうち３つのスイッチング素子１２を図示している。
【００１５】
複数の回路部品１４は、スイッチング素子１２のオン／オフ状態を切り替えてＰＷＭ変調を行うための論理回路素子や、増幅素子、ならびに抵抗器やコンデンサ等の受動素子等からなり、回路基板１１における複数のスイッチング素子１２とは反対側の実装面に実装されている。
【００１６】
端子台１５は、回路基板１１の端部における実装面側に配置されている。端子台１５は、後述する複数の出力端子を有し、この複数の出力端子から各相の電流が出力される。
【００１７】
コネクタ２は、その一部がインバータケース１０に形成された開口１０ａを挿通し、インバータケース１０に着脱可能に設けられている。このコネクタ２は、インバータ装置１から出力される複数相の電流の出力端子に対応する複数の接続端子を有している。
【００１８】
また、コネクタ２は、インバータ装置１から出力される複数相の電流に対応する複数の電流センサを有し、この複数の電流センサの出力信号が信号線４によって回路基板１１に伝送される。この出力信号は、三相交流モータのフィードバック制御に用いられる。
【００１９】
図２は、端子台１５、コネクタ２、及びコネクタ２に嵌合する相手側コネクタ５を有するワイヤハーネス７の一端部を示す斜視図である。図３は、図２におけるコネクタ２を拡大して示す拡大図である。図３では、コネクタ２の第１乃至第３の接続端子２１〜２３を仮想線（二点鎖線）で示し、その向こう側を実線で示している。
【００２０】
端子台１５は、樹脂からなる本体１５０と、第１乃至第３の出力端子１５１〜１５３とを有している。第１の出力端子１５１はＵ相の電流の出力端子であり、第２の出力端子１５２はＶ相の電流の出力端子であり、第３の出力端子１５３はＷ相の電流の出力端子である。
【００２１】
コネクタ２は、インバータケース１０に収容された端子台１５の第１乃至第３の出力端子１５１〜１５３に一端部が接続される第１乃至第３の接続端子２１〜２３と、第１乃至第３の接続端子２１〜２３の少なくとも一部を収容するハウジング２０と、ハウジング２０に収容され、第１乃至第３の接続端子２１〜２３に流れる電流によって発生する磁界を検出する第１乃至第３の電流センサ３１〜３３と、第１乃至第３の電流センサ３１〜３３が実装された基板３０と、第１乃至第３の電流センサ３１〜３３の出力信号を伝送する信号線４とを備えている。
【００２２】
コネクタ２の第１乃至第３の接続端子２１〜２３は、第１乃至第３の出力端子１５１〜１５３に対応して、所定の並び方向に並列して配置されている。本実施の形態では、第１乃至第３の接続端子２１〜２３の一端部がハウジング２０から露出し、この露出部分が端子台１５の第１乃至第３の出力端子１５１〜１５３に接続される。第１乃至第３の接続端子２１〜２３は、端子台１５の第１乃至第３の出力端子１５１〜１５３に接続される一端部が平板状であり、その先端部には、端子台１５への固定のための図略のボルトを挿通させる挿通孔２１ａ，２２ａ，２３ａが形成されている。
【００２３】
コネクタ２の第１の接続端子２１は、端子台１５の第１の出力端子１５１に接触するように、図略のボルトによって固定される。同様に、第２の接続端子２２は第２の出力端子１５２に、第３の接続端子２３は第３の出力端子１５３に、それぞれ接触するように図略のボルトによって固定される。
【００２４】
コネクタ２のハウジング２０は、樹脂からなるインナハウジング２０１と、アルミニウム合金等の導電性金属からなるアウタハウジング２０２とからなる。インナハウジング２０１は、アウタハウジング２０２に収容されている。第１乃至第３の接続端子２１〜２３は、インナハウジング２０１に保持されている。
【００２５】
また、第１乃至第３の接続端子２１〜２３は、所定の並び方向に並列して配置され、第１の接続端子２１と第３の接続端子２３との間に第２の接続端子２２が配置されている。第１乃至第３の接続端子２１〜２３の一端部は互いに平行である。
【００２６】
アウタハウジング２０２は、筒状の本体部２０２ａと、本体部２０２ａの外面に形成された一対の突条２０２ｂ（図２には一方の突条２０２ｂのみを示す）と、突条２０２ｂの長手方向の端部に設けられた突起２０２ｃと、本体部２０２ａから外方に張り出して形成された板状のフランジ部２０２ｄとを有している。一対の突条２０２ｂは、本体部２０２ａにおける第１乃至第３の接続端子２１〜２３の並び方向の両端部に形成されている。突起２０２ｃは、突条２０２ｂにおけるフランジ部２０２ｄとは反対側の端部に形成されている。フランジ部２０２ｄは、四角板状であり、その四隅にはボルト挿通孔２０２ｅが形成されている。コネクタ２は、このボルト挿通孔２０２ｅに挿通されるボルト２４（図１に示す）によってインバータケース１０に着脱可能に固定される。
【００２７】
第１乃至第３の電流センサ３１〜３３は、巨大磁気抵抗素子を有するＧＭＲ（Giant Magneto Resistive effect）センサである。この巨大磁気抵抗素子は、小さな磁界の変化に対して大きな電気抵抗の変化を得ることができる巨大磁気抵抗効果を利用したものである。より具体的には、例えばホール素子の磁気抵抗効果は、電気抵抗の変化率が数パーセント程度であるのに対し、この巨大磁気抵抗効果を用いた巨大磁気抵抗素子は、電気抵抗の変化率が数十パーセント程度と大きい。また、巨大磁気抵抗素子は、所定の検出軸に沿った方向の磁界の強度を検出するが、この検出軸に直交する方向の磁界は検出しないという特性を有している。図３では、この検知軸を第１乃至第３の電流センサ３１〜３３上に矢印で示している。
【００２８】
第１の電流センサ３１は、Ｕ相の電流によって発生する磁界の強度を検出するように、第１の接続端子２１の近傍に配置されている。第２の電流センサ３２は、Ｖ相の電流によって発生する磁界の強度を検出するように、第２の接続端子２２の近傍に配置されている。また、第３の電流センサ３３は、Ｗ相の電流によって発生する磁界の強度を検出するように、第３の接続端子２３の近傍に配置されている。
【００２９】
第１の電流センサ３１の検知軸は、第１の接続端子２１に流れるＵ相の電流によって発生する磁界の方向に沿った方向である。第２の電流センサ３２の検知軸は、第２の接続端子２２に流れるＶ相の電流によって発生する磁界の方向に沿った方向である。また、第３の電流センサ３３の検知軸は、第３の接続端子２３に流れるＷ相の電流によって発生する磁界の方向に沿った方向である。
【００３０】
第１乃至第３の電流センサ３１〜３３は、ハウジング２０に保持された基板３０に実装されている。本実施の形態では、基板３０がインナハウジング２０１に保持されている。また、第１乃至第３の電流センサ３１〜３３は、ハウジング２０の開口端面２０ａよりもハウジング２０の内側に配置されている。これにより、第１乃至第３の電流センサ３１〜３３は、その全体がハウジング２０に収容されている。
【００３１】
第１乃至第３の電流センサ３１〜３３の出力信号を伝送する信号線４は、複数（本実施の形態では６本）の絶縁電線４０からなり、これらの絶縁電線４０が図略のガイド部材によって引き回されている。信号線４は、ハウジング２０から導出された部分である導出部４ａが、第１乃至第３の接続端子２１〜２３の一端部の延在方向と直交する方向に引き出されている。この延在方向は、第１乃至第３の接続端子２１〜２３に流れる各相の電流の方向に一致している。この導出部４ａの長さ（ハウジング２０から導出された信号線４が第１乃至第３の接続端子２１〜２３の一端部の延在方向と直交する方向に延びる長さ）は、１．０ｍｍ以上であることが望ましく、５．０ｍｍ以上であることがより望ましい。
【００３２】
また、本実施の形態では、信号線４が第１乃至第３の接続端子２１〜２３の所定の並び方向に沿って引き出されている。つまり、信号線４の導出部４ａは、この所定の並び方向に平行に延びている。
【００３３】
なお、信号線４は、基板３０の端部から出ていなくてもよく、基板３０の中央部から出ていてもよい。また、例えば第１乃至第３の接続端子２１〜２３を流れる電流によって発生する磁界が信号線４を伝送する出力信号に影響を与えない程度の強度である場合には、導出部４ａはなくともよい。すなわち、第１乃至第３の接続端子２１〜２３の延在方向に沿って信号線４が延びていてもよい。
【００３４】
第１乃至第３の接続端子２１〜２３の他端部は、コネクタ２と相手側コネクタ５との嵌合により、相手側コネクタ５の第１乃至第３の接続端子５１〜５３に接触する。相手側コネクタ５は、ハウジング５０と、第１乃至第３の接続端子５１〜５３と、回動レバー５４とを有している。ハウジング５０は、樹脂からなるインナハウジング５０１と、アルミニウム合金等の導電性金属からなるアウタハウジング５０２とからなる。インナハウジング５０１は、アウタハウジング５０２に収容されている。第１乃至第３の接続端子５１〜５３は、インナハウジング５０１に保持されている。
【００３５】
アウタハウジング５０２には、第１乃至第３の接続端子５１〜５３の並び方向における両端部に、コネクタ２の突条２０２ｂが挿入される一対のスライド溝５０２ａが形成されている。また、アウタハウジング５０２には、回動レバー５４の回転軸となる突起５０２ｂが形成されている。回動レバー５４には、円弧状に湾曲した湾曲溝５４１が形成されている。回動レバー５４は、突起５０２ｂを中心とする回転動作によってコネクタ２の突起２０２ｃを湾曲溝５４１に沿ってスライド溝５０２ａの奥側に引き込み、コネクタ２と相手側コネクタ５との嵌合を確実にする。
【００３６】
第１の接続端子５１には、Ｕ相の電線６１の一端部が接続されている。第２の接続端子５２には、Ｖ相の電線６２の一端部が接続されている。また、第３の接続端子５３には、Ｗ相の電線６３の一端部が接続されている。Ｕ相の電線６１、Ｖ相の電線６２、及びＷ相の電線６３の他端部は、図略のコネクタを介して三相交流モータのＵ相，Ｖ相，及びＷ相の各巻線に電気的に接続されている。
【００３７】
以上のように構成されたインバータ装置１は、コネクタ２に接続されるワイヤハーネス７を介して三相交流モータのＵ相，Ｖ相，及びＷ相の電流を供給する。第１乃至第３の電流センサ３１〜３３は、Ｕ相，Ｖ相，及びＷ相の電流によって発生する磁界を検出し、信号線４を介してその出力信号をインバータケース１０内の回路部品１４に伝送する。
【００３８】
（実施の形態の作用及び効果）
以上説明した実施の形態によれば、以下のような作用及び効果が得られる。
【００３９】
（１）第１乃至第３の電流センサ３１〜３３がコネクタ２に配置され、この電流センサ３１〜３３の出力信号を信号線４によって伝送するので、仮に各相の電流によって発生する磁界を検出する電流センサが相手側コネクタ５に設けられている場合に比較して、コネクタ２の大型化を抑制することができる。つまり、相手側コネクタ５に電流センサが配置された場合には、その出力信号をコネクタ２を介してインバータケース１０内に引き込む必要があり、コネクタ２に中継コネクタ等の部材を追加する必要が生じるが、本実施の形態ではこのような部材を追加する必要がなく、コネクタ２の大型化を抑制することが可能となる。
【００４０】
（２）第１乃至第３の電流センサ３１〜３３をコネクタ２のハウジング２０内に配置することにより、仮に各相の電流によって発生する磁界を検出する電流センサを回路基板１１に実装した場合に比較して、第１乃至第３の電流センサ３１〜３３をノイズ源である複数のスイッチング素子１２から遠ざけることができる。これにより、複数のスイッチング素子１２で発生する電磁波の影響を抑制し、第１乃至第３の電流センサ３１〜３３の検出精度を高めることができる。また、回路基板１１に複数の電流センサを配置する必要がないので、回路基板１１を小型化し、ひいてはインバータ装置１を小型化することが可能となる。
【００４１】
（３）信号線４は、ハウジング２０から導出された導出部４ａが第１乃至第３の接続端子２１〜２３の一端部の延在方向と直交する方向に引き出されているので、第１乃至第３の接続端子２１〜２３を流れる電流によって発生する磁界により、信号線４を伝搬する信号（第１乃至第３の電流センサ３１〜３３の出力信号）にノイズが乗ることを抑制できる。つまり、仮に信号線４が第１乃至第３の接続端子２１〜２３の一端部の延在方向と平行にハウジング２０から導出される場合には、信号線４と第１乃至第３の接続端子２１〜２３との間の距離が短い区間が長くなり、信号線４を伝搬する信号が第１乃至第３の接続端子２１〜２３を流れる電流によって発生する磁界の影響を受けやすくなってしまう。しかし、本実施の形態によれば、この磁界の影響を小さくすることが可能となる。特に、本実施の形態では、信号線４が第１乃至第３の接続端子２１〜２３の所定の並び方向に沿って引き出されているので、信号線４を伝搬する信号が第１乃至第３の接続端子２１〜２３を流れる電流によって発生する磁界から受ける影響を可及的に小さくすることができる。
【００４２】
（４）第１乃至第３の電流センサ３１〜３３は、巨大磁気抵抗素子を有するＧＭＲセンサであるので、第１乃至第３の接続端子２１〜２３を流れる電流によって発生する磁界を高精度に検出することができる。
【００４３】
（５）第１乃至第３の電流センサ３１〜３３は、ハウジング２０に保持された基板３０に実装されているので、第１乃至第３の電流センサ３１〜３３を磁界の検出に適した適切な位置に容易に固定することができる。また、信号線４の各絶縁電線４０は、その芯線を基板３０に形成された電極に半田付け等によって接続することで、第１乃至第３の電流センサ３１〜３３を伝送することが可能となるので、信号線４の接続も容易となる。
【００４４】
（６）コネクタ２は、インバータケース１０に着脱可能であるので、電流センサが故障した際の部品の交換作業を容易に行うことができる。つまり、電流センサが相手側コネクタ５に設けられている場合には、電流センサが故障するとワイヤハーネス７の全体を交換しなければならないが、本実施の形態によれば、第１乃至第３の電流センサ３１〜３３の何れかが故障した場合には、コネクタ２のみを交換すればよい。これにより、第１乃至第３の電流センサ３１〜３３の何れかに故障が発生した際の交換作業を容易に行うことができる。
【００４５】
（実施の形態のまとめ）
次に、以上説明した実施の形態から把握される技術思想について、実施の形態における符号等を援用して記載する。ただし、以下の記載における各符号は、特許請求の範囲における構成要素を実施の形態に具体的に示した部材等に限定するものではない。
【００４６】
［１］スイッチング素子（１２）を有する電源装置（インバータ装置１）に設けられ、ワイヤハーネス（７）の相手側コネクタ（５）と嵌合するコネクタ（２）であって、前記電源装置（インバータ装置１）の筐体（インバータケース１０）内の出力端子（１５１〜１５３）に一端部が接続される接続端子（２１〜２３）と、前記接続端子（２１〜２３）の少なくとも一部を収容し、前記筐体（インバータケース１０）に固定されるハウジング（２０）と、前記ハウジング（２０）に収容され、前記接続端子（２１〜２３）に流れる電流によって発生する磁界を検出する電流センサ（３１〜３３）と、前記電流センサ（３１〜３３）の出力信号を伝送する信号線（４）とを備えたコネクタ（２）。
【００４７】
［２］前記信号線（４）は、前記ハウジング（２０）から導出された部分が前記接続端子（２１〜２３）の前記一端部の延在方向と直交する方向に引き出されている、前記［１］に記載のコネクタ（２）。
【００４８】
［３］前記接続端子（２１〜２３）は、前記電源装置（インバータ装置１）から出力される各相の電流の複数の出力端子（１５１〜１５３）に対応して複数個が所定の並び方向に並列して配置され、前記信号線（４）は、前記並び方向に沿って引き出されている、前記［２］に記載のコネクタ（２）。
【００４９】
［４］前記電流センサ（３１〜３３）は、巨大磁気抵抗素子を有するＧＭＲセンサであり、前記巨大磁気抵抗素子の検出軸が、前記接続端子（２１〜２３）に流れる電流によって発生する磁界の方向に沿った方向である、前記［１］乃至［３］の何れか１つに記載のコネクタ（２）。
【００５０】
［５］前記電流センサ（３１〜３３）は、前記電源装置（インバータ装置１）から出力される複数相の電流によって発生する磁界をそれぞれ検出するように複数個配置され、これら複数の前記電流センサ（３１〜３３）が前記ハウジング（２０）に保持された基板（３０）に実装された、前記［１］乃至［４］の何れか１つに記載のコネクタ（２）。
【００５１】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００５２】
また、本発明は、その趣旨を逸脱しない範囲で適宜変形して実施することも可能である。例えば、上記実施の形態では、コネクタ２をインバータ装置１に適用した場合について説明したが、これに限らず、スイッチング素子を有するコンバータ装置等の種々の電源装置にコネクタ２を適用することが可能である。
【００５３】
また、上記実施の形態では、第１乃至第３の接続端子２１〜２３の一部がハウジング２０に収容された場合について説明したが、これに限らず、第１乃至第３の接続端子２１〜２３の全体がハウジング２０に収容されていてもよい。つまり、第１乃至第３の接続端子２１〜２３の少なくとも一部がハウジング２０に収容されていればよい。
【００５４】
また、上記実施の形態では、信号線４が第１乃至第３の接続端子２１〜２３の所定の並び方向に沿って引き出されている場合について説明したが、これに限らず、ハウジング２０から導出された信号線４が第１乃至第３の接続端子２１〜２３の一端部の延在方向と直交する方向に引き出されていれば、一定の効果を得ることができる。
【００５５】
また、上記実施の形態では、第１乃至第３の電流センサ３１〜３３がＧＭＲセンサである場合について説明したが、これに限らず、例えばホールＩＣを第１乃至第３の電流センサ３１〜３３として用いてもよい。
【符号の説明】
【００５６】
１…インバータ装置（電源装置）
２…コネクタ
４…信号線
１０…インバータケース（筐体）
１２…スイッチング素子
２０…ハウジング
２１〜２３…第１乃至第３の接続端子
３０…基板
３１〜３３…第１乃至第３の電流センサ
１５１〜１５３…第１乃至第３の出力端子
【図１】
2015153641.tif 000003
【図２】
2015153641.tif 000004
【図３】
2015153641.tif 000005